(57)【要約】【課題】  構造が簡単で、コンパクト化された安価な引き戸の自閉装置を得る。【解決手段】  引き戸４、或いは開口部Ａの枠の適所に設置される収容体１に、引き戸４の開放方向への移動により反発力を蓄積する渦巻バネ５を内蔵したプーリー２と、これに対応する制御プーリー７を備え、渦巻バネ５の反発力を制御するオイルダンパー６を隣接して設け、一端をプーリー７に固定して中間部をプーリー７に多数回巻き付け、オイルダンパー６の制御プーリー７に１回ないし適数回巻き付けて収容体１から引き出し、先端を開口部Ａの枠、或いは引き戸４の適所に連繋したワイヤー８とからなる。【選択図】        図３
2005113663.tif 000002
【特許請求の範囲】
【請求項１】
引き戸（４）の適所に設置される収容体（１）と、収容体（１）に設けた軸体（３）と、軸体（３）に回転自在に取り付けられたプーリー（２）と、プーリー（２）に内蔵され、内端を軸体（３）に、外端をプーリー（２）に夫々固定し、引き戸（４）の開放方向への移動に伴って逆方向への反発力を蓄積するように設定した渦巻バネ（５）と、プーリー（２）に隣接して設けられ、渦巻バネ（５）の反発力を制御するオイルダンパー（６）と、オイルダンパー（６）に設けた制御プーリー（７）と、一端をプーリー（２）に固定して中間部をプーリー（２）に多数回巻き付けると共に、オイルダンパー（６）の制御プーリー（７）に１回ないし適数回巻き付けて収容体（１）から引き出し、他端を開口部Ａの枠に連繋したワイヤー（８）とからなる引き戸の自閉装置。
【請求項２】
開口部Ａの枠の適所に設置される収容体（１）と、収容体（１）に設けた軸体（３）と、軸体（３）に回転自在に取り付けられたプーリー（２）と、プーリー（２）に内蔵され、内端を軸体（３）に、外端をプーリー（２）に夫々固定し、引き戸（４）の開放方向への移動に伴って逆方向への反発力を蓄積するように設定した渦巻バネ（５）と、プーリー（２）に隣接して設けられ、渦巻バネ（５）の反発力を制御するオイルダンパー（６）と、オイルダンパー（６）に設けた制御プーリー（７）と、−端をプーリー（２）に固定して中間部をプーリー（２）に多数回巻き付けると共に、オイルダンパー（６）の制御プーリー（７）に１回ないし適数回巻き付けて収容体（１）から引き出し、引き戸（４）の適所に連繋したワイヤー（８）とからなる引き戸の自閉装置。
【請求項３】
走行するワイヤー（８）を方向転換させる補助プーリー（１０）を、プーリー（２）と制御プーリー（７）との間、及び、制御プーリー（７）と収容体（１）から引き出される間の収容体（１）の適所に設けた請求項１または２の引き戸の自閉装置。
【請求項４】
渦巻バネ（５）の内端を固定した軸体（３）を、収容体（１）に対して回転操作可能な構成とした請求項１または２の引き戸の自閉装置。
【発明の詳細な説明】
【技術分野】
【０００１】  本発明は、開放した引き戸を自動的に閉止させる機能と共に、引き戸の閉止速度を適正とする機能をコンパクトに備えた引き戸の自閉装置に関する。
【背景技術】
【０００２】  一般に、従来の引き戸を自動的に閉止させる機能を備えた自閉装置は、引き戸と開口部の枠との間に、引き戸の開放方向への動きによって閉止方向への力が付与されるコイルスプリングなどを架け渡し、これによって引き戸を牽引し、自動的に引き戸を閉止するように構成していた。【０００３】  しかしながら、引き戸の開放度が増加するに伴って、引き戸に対する閉止方向への力が順次加算されて、引き戸の閉止方向への走行速度が早くなり、閉止時の開口部の枠への衝撃による騒音や、損傷などのおそれを多分に有していたため、引き戸の開放度が増加しても、引き戸の閉止方向への走行速度が早くならないようにコイルスプリングなどのストロークに応じた特殊なダンパーを備えたものが見受けられる（例えば特許文献１参照）。【０００４】  また、上記従来品を改良したものとして、引き戸の開放方向への移動に伴って逆方向への反発力を蓄積する渦巻バネを内蔵したプーリーと、渦巻バネの反発力を制御するオイルダンパーとを備えることにより、この両者の回転を歯車によって連繋させ、プーリーに巻き付けたワイヤーの両端を開口枠、もしくは引き戸に取り付けて張設し、引き戸は張設されたワイヤーに沿って開閉される方式がみられた（例えば特許文献２参照）。
【特許文献１】    特開平１０−１９６２１２号公報
【特許文献２】    特開平１１−    ２０６４号公報
【発明の開示】
【発明が解決しようとする課題】
【０００５】  解決しようとする問題点は、特許文献１に記載ある単なるコイルスプリングなどの弾性によって閉止方向への力が付与される自閉装置では、引き戸の開放度が増加するに伴って閉止方向への力が順次加算され、引き戸の閉止方向への走行速度が早くなり、閉止時の開口部枠への衝撃が大となり、騒音や損傷、或いは衝突による手指や身体への受傷のおそれを多分に有することから、コイルスプリングなどのストロークに応じた特殊なダンパーを備えなければならなかった。【０００６】  また、特許文献２に記載ある従来装置においては、渦巻バネを内蔵したプーリーと、渦巻バネの反発力を制御するオイルダンパーの両者を、歯車によって連繋させることから、両者の位置関係を正確に設定する必要があり、しかも、引き戸の開閉方向に沿ってワイヤーを張設する必要があり、引き戸の移動量によって張設するワイヤーの長さが異なり、且つ、ワイヤー張設には微妙なテンションの調節を不可欠としていたのである。
【課題を解決するための手段】
【０００７】  本発明は、引き戸の適所に設置される収容体と、収容体に設けた軸体と、軸体に回転自在に取り付けられたプーリーと、プーリーに内蔵され、内端を軸体に、外端をプーリーに夫々固定し、引き戸の開放方向への移動に伴って逆方向への反発力を蓄積するように設定した渦巻バネと、プーリーに隣接して設けられ、渦巻バネの反発力を制御するオイルダンパーと、オイルダンパーに設けた制御プーリーと、一端をプーリーに固定して中間部をプーリーに多数回巻き付けると共に、オイルダンパーの制御プーリーに１回ないし適数回巻き付けて収容体から引き出し、他端を開口部の枠に連繋したワイヤーとからなる。【０００８】  また、開口部の枠の適所に設置される収容体と、収容体に設けた軸体と、軸体に回転自在に取り付けられたプーリーと、プーリーに内蔵され、内端を軸体に、外端をプーリーに夫々固定し、引き戸の開放方向への移動に伴って逆方向への反発力を蓄積するように設定した渦巻バネと、プーリーに隣接して設けられ、渦巻バネの反発力を制御するオイルダンパーと、オイルダンパーに設けた制御プーリーと、一端をプーリーに固定して中間部をプーリーに多数回巻き付けると共に、オイルダンパーの制御プーリーに１回ないし適数回巻き付けて収容体から引き出し、引き戸の適所に連繋したワイヤーとからなる。【０００９】  そして、走行するワイヤーを方向転換させる補助プーリーを、プーリーと制御プーリーとの間、及び、制御プーリーと収容体から引き出される間の収容体の適所に設けることもある。【００１０】  更に、渦巻バネの内端を固定した軸体を、収容体に対して回転操作可能な構成とすることもある。
【発明の効果】
【００１１】  本発明の自閉装置の収容体は、引き戸の開放方向への移動に伴い、プーリーに多数回巻き付けられているワイヤーが引き出されてプーリーに回転を与え、渦巻バネに閉止方向への反発力を付与するように、引き戸の適所の、或いは開口部の枠の上下方のいずれかの位置に設置されるのであり、オイルダンパーは引き戸の開放方向への移動時には制御力が生じないようフリーの状態に設定する。【００１２】  引き戸を開放方向に移動させると、先端を収容体に対応する開口部の枠、或いは引き戸の適所に連繋したワイヤーが引き出され、これによってプーリーが回転して渦巻バネに閉止方向への反発力が徐々に付与されながら引き戸は開放されるのであり、引き戸の開放方向への移動を完了した際には、渦巻バネに蓄積された閉止方向への反発力がプーリーに伝達され、プーリーに閉止方向への回転力が付与され、このプーリーの回転によって引き出されたワイヤーがプーリーに巻き取られることによって引き戸は閉止方向へ牽引される。【００１３】  この際、ワイヤーはオイルダンパーの制御プーリーに１回ないし適数回巻き付けられていることから、プーリーの回転力で巻き取られるワイヤーの走行速度は制御プーリーによって制御され、適正な速度で引き戸を閉止方向へ移動させることができるのである。【００１４】  また、走行するワイヤーを方向転換させる補助プーリーを、プーリーと制御プーリーとの間、及び、制御プーリーと収容体から引き出される間の収容体の適所に設けることにより、ワイヤーの重なりを防止し、円滑な、しかも、騒音発生のおそれのない方向転換を行なえる。【００１５】  更に、渦巻バネの内端を固定した軸体を、収容体に対して回転操作可能な構成とすることにより、必要に応じて回転操作して渦巻バネを締め付け、或いは、緩めることができ、引き戸の開口巾が異なる場合にも閉止方向への牽引力を簡単に調整でき、適正な引き戸の閉止速度が得られる。【００１６】  上記のように本発明は、歯車の噛み合わせやシリンダーなどの精度の高い施工を必要としないことから、構造が簡単で、小型化を図れ、安価に提供でき、扁平構成できることから取り付けに支障はなく、更には、上吊りタイプ、下車タイプの何れの引き戸にも使用することができ、極めて効率的である。
【発明を実施するための最良の形態】
【００１７】  本発明を実施するに当たっては、自閉装置の収容体１に、プーリー２を回転自在に取り付けた軸体３を設け、このプーリー２に、内端を軸体３に、外端をプーリー２に夫々固定して引き戸４の開放方向への移動に伴って逆方向への反発力を蓄積する渦巻バネ５を内蔵すると共に、プーリー２に隣接して、引き戸４の開放方向への移動に当ってフリーな状態となるよう設定したオイルダンパー６を設置し、オイルダンパー６にはプーリー２に対応する制御プーリー７を取り付ける。【００１８】  そして、一端をプーリー２に取り付けたワイヤー８を、ワイヤー８を引き出すことによって内蔵した渦巻バネ５に反発力を蓄積する方向に多数回巻き付け、プーリー２に隣接して設けた制御プーリー７には、プーリー２から引き出されたワイヤー８を１回ないし適数回巻き付けて、収容体１の窓孔９から外部に引き出されるのであって、このように構成された自閉装置の収容体１を、引き戸４の開放側端部の上方内側面に取り付け、収容体１の窓孔９から外部に引き出されたワイヤー８の先端を、開口部Ａ上方の横枠Ｂの、引き戸４を閉止した際における収容体１に相対する位置に取り付けたフック１１に連繋するのが好ましい。
【実施例１】
【００１９】  図１ないし図４の実施例では、自閉装置の収容体１を横長方形状の箱状としたものを示し、収容体１は引き戸２の開放側端部の上方内側面に外付けされる方式であって、収容体１には、収容体１に対して回転操作可能に軸体３を設け、軸体３にはプーリー４を回転自在に取り付けており、このプーリー４には、内端を軸体３に、外端をプーリー４に夫々固定して引き戸２の開放方向への移動に伴って逆方向への反発力を蓄積する渦巻バネ５を内蔵している。【００２０】  引き戸２の開放方向への移動に当ってフリーな状態となるよう設定したオイルダンパー６をプーリー４に隣接して設置し、オイルダンパー６にはプーリー４に対応する制御プーリー７を取り付け、そして、一端をプーリー４に取り付けたワイヤー８を、ワイヤー８を引き出すことによって内蔵した渦巻バネ５に反発力を蓄積する方向に多数回巻き付けている。【００２１】  プーリー４に隣接して設けた制御プーリー７には、プーリー４から引き出されたワイヤー８を１回ないし適数回巻き付け、その先端を収容体１の窓孔９から外部に引き出し、その先端は、開口部Ａの上方の横枠Ｂの、引き戸２を閉止した際における収容体１に相対する位置に取り付けたフック１１に連繋されている。【００２２】  収容体１の適所には、プーリー４から制御プーリー７にいたるワイヤー８、及び、制御プーリー７から収容体１の窓孔９を経て外部に引き出されるワイヤー８の方向転換用に補助プーリー１０を設けている。
【実施例２】
【００２３】  図５ないし図６の実施例では、自閉装置の収容体１を縦長方形状の箱状としたものを示し、収容体１は引き戸２の開放側端部の上方内側面に外付けされる方式であって、収容体１の下方に渦巻バネ５を内蔵したプーリー４を設け、その上方にプーリー４に対応する制御プーリー７を取り付けたオイルダンパー６を設置しており、実施例１におけるワイヤー８の方向転換用の補助プーリー１０を除外した構成としている以外はプーリー４、渦巻バネ５、オイルダンパー６などの構成を同じくし、引き戸２の開閉は実施例１のものと同様の作用で行われる。【００２４】  図面の実施例では、収容体１を方形状の箱状とし、これを引き戸２の上方内側面に外付けする方式としているが、引き戸２、或いは開口部Ａの枠の適所に箱状の収容体１を埋設する方式や、引き戸２、或いは開口部Ａの枠の適所に直接収容体１を形成する方式であっても引き戸２の開閉はなんらの支障もなく行なえることに変わりはない。
【図面の簡単な説明】
【００２５】
【図１】引き戸の閉止状態の正面図である。
【図２】引き戸の開放状態の正面図である。
【図３】要部の一部断面とした正面図である。
【図４】要部の一部断面とした平面図である。
【図５】他の実施例における引き戸の閉止状態の正面図である。
【図６】他の実施例における要部の一部断面とした正面図である。
【符号の説明】
【００２６】Ａ            開口部
Ｂ            横枠
１            収容体
２            プーリー
３            軸体
４            引き戸
５            渦巻バネ
６            オイルダンパー
７            制御プーリー
８            ワイヤー
９            窓孔
１０          補助プーリー
１１          フック
【図１】
2005113663.tif 000003
【図２】
2005113663.tif 000004
【図３】
2005113663.tif 000005
【図４】
2005113663.tif 000006
【図５】
2005113663.tif 000007
【図６】
2005113663.tif 000008